(57)【要約】【課題】衣服を容易に緊張状態にして吊下することができるようにするとともに操作性を向上させる。【解決手段】ハンガーＨは、下衣を掛ける下ハンガーＨａと、上衣を掛ける上ハンガーＨｂとで構成され、下ハンガーＨａは、吊下部１を有した所定長さの本体２と、本体２の一端側に形成され衣服が係止される係止部３と、本体２の他端側に保持され衣服を挾持するクリップ４とを備え、上ハンガーＨｂは、吊下部２２を有し上衣が掛けられる上衣掛け体２３を有し、上衣掛け体２３の下側に下ハンガーＨａが吊下されるフック２１を設けるとともに、上衣掛け体２３のフック２１の左右に縦棒２４を垂設し、各縦棒２４にネクタイ等を掛けるための複数の横棒２５を突設した。【選択図】          図１
2004248953.tif 000002
【特許請求の範囲】
【請求項１】
衣服を掛ける為のハンガーにおいて、
吊下部を有した所定長さの本体と、該本体の一端側に形成され上記衣服が係止される係止部と、上記本体の他端側に保持され上記衣服を挾持するクリップとを備えたことを特徴とするハンガー。
【請求項２】
上記係止部を、上記本体に垂設したロッドと、該ロッドの下端に形成され上記衣服が係止される外向きの突起とを備えて構成したことを特徴とする請求項１記載のハンガー。
【請求項３】
上記ロッドの内側面と上記本体との間に補強部材を架設したことを特徴とする請求項２記載のハンガー。
【請求項４】
上記ロッドの外側面に衣服としてのズボンのウエスト部分が没入する凹部を形成したことを特徴とする請求項２または３記載のハンガー。
【請求項５】
上記ロッドを外側に向けて傾斜させて上記本体に設けたことを特徴とする請求項２，３または４記載のハンガー。
【請求項６】
上記本体を棒体を備えて形成し、該棒体の一端に上記係止部を設け、上記クリップを上記棒体の他端から挿入可能で該棒体にスライド可能に設け、上記棒体の所定位置にクリップのスライドを停止させるストッパを設けたことを特徴とする請求項１，２，３，４または５記載のハンガー。
【請求項７】
上記クリップとストッパとの間にコイルスプリングを介設したことを特徴とする請求項６記載のハンガー。
【請求項８】
上記係止部を上記クリップ側に向けて移動可能に上記本体に設け、該本体と係止部との間に該係止部のクリップ側の移動により縮小するスプリングを設けたことを特徴とする請求項１，２，３，４，５，６または７記載のハンガー。
【請求項９】
上記クリップを、互いに開閉可能で一端に衣服の把持部を有し他端に把手部を有した一対のクリップ片と、該一対のクリップ片を閉じるように付勢するスプリングとを備えて構成し、上記クリップ片に補強用のリブを形成したことを特徴とする請求項１，２，３，４，５，６，７または８記載のハンガー。
【請求項１０】
上記クリップ片の把持部の内側に段差部を形成したことを特徴とする請求項１，２，３，４，５，６，７，８または９記載のハンガー。
【請求項１１】
上記クリップ片の把持部を回動可能に設けたことを特徴とする請求項１，２，３，４，５，６，７，８，９または１０記載のハンガー。
【請求項１２】
上記吊下部が吊下されるフックを有し該フックへの吊下により連結される上ハンガーを備え、
該上ハンガーは、吊下部を有し上衣が掛けられる上衣掛け体を有し、該上衣掛け体の下側に上記フックを設けるとともに、上記上衣掛け体のフックの左右に縦棒を垂設し、該各縦棒にネクタイ等を掛けるための複数の横棒を突設したことを特徴とする請求項１，２，３，４，５，６，７，８，９，１０または１１記載のハンガー。
【発明の詳細な説明】
【０００１】
【発明の属する技術分野】
本発明は、衣服を掛ける為のハンガーに係り、ズボンなどの下衣を掛けるのに有効なハンガーに関する。
【０００２】
【従来の技術】
従来知られているハンガーとしては、例えば、図１７に示すものが知られている（例えば、特開平８−６６２９２号公報（特許文献１）参照）。
このハンガーＨ１は、頂部に吊下部１００を有する上衣掛け体１０１の両端に棒体１０２を架設し、この棒体１０２に一対のクリップ１０３を取り付けて構成されている。そして、このハンガーＨ１を使用するときは、ズボンなどの下衣をクリップ１０３に挾持して吊下し、それから、上衣を上衣掛け体１０１に掛ける。ズボンなどの下衣をクリップ１０３に挾むときは、先に一方のクリップ１０３を操作して下衣を挾持し、次に他方のクリップ１０３を操作して下衣を挾持する。
【０００３】
【特許文献１】
特開平８−６６２９２号公報
【０００４】
【発明が解決しようとする課題】
ところで、従来のハンガーＨ１においては、一対のクリップ１０３を逐一操作して下衣を挾持しなければならないので、操作が煩雑で操作性が悪いという問題があった。
また、下衣が皺にならないようにするためにクリップ１０３間で下衣が弛まないようにクリップ１０３間に挾持したいが、衣服が弛まないようにするためには、一方のクリップ１０３に下衣を挾持した後、下衣を引っ張って緊張させながら他方のクリップ１０３を操作する。その際、下衣を引っ張りすぎると、一方のクリップ１０３から下衣が外れることがあり、その引っ張り加減が難しく、この点でも操作性が悪いという問題があった。
【０００５】
本発明は上記の問題点に鑑みて為されたもので、衣服を容易に緊張状態にして吊下することができるようにするとともに操作性を向上させたハンガーを提供することを目的とする。
【０００６】
【課題を解決するための手段】
このような目的を達成するための本発明の技術的手段は、衣服を掛ける為のハンガーにおいて、吊下部を有した所定長さの本体と、該本体の一端に形成され上記衣服が係止される係止部と、上記本体の他端側に保持され上記衣服を挾持するクリップとを備えた構成としている。
【０００７】
これにより、ズボンなどの衣服を掛けるときは、係止部に衣服の一部を引っ掛け、そして、片手で係止部に引っ掛けた衣服を引っ張りながら、クリップ側に衣服の他端側を持ってくる。一方、もう片方の手でクリップを開き、このクリップで衣服を挾持する。この場合、衣服を係止部に係止するだけで衣服の一端を保持できるので、従来のクリップで一端を挾持する場合に比較して、作業が単純であり、作業を容易に行なうことができる。また、衣服の一端が係止部に係止されているので、引っ張る力を多少強くしても、外れることがなく、そのため、引っ張り加減を逐一気にすることなく衣服を容易に緊張状態にさせながらクリップを操作するだけで、衣服を吊下できることから、操作性が大幅に向上させられる。そのため、衣服が皺にならないようにすることができる。
【０００８】
また、必要に応じ、上記係止部を、上記本体に垂設したロッドと、該ロッドの下端に形成され上記衣服が係止される外向きの突起とを備えた構成とした。ロッドを備えたので衣服を引っ掛けることが容易となる。
【０００９】
そして、必要に応じ、上記ロッドの内側面と上記本体との間に補強部材を架設した構成とした。引っ張りに対抗するロッドの強度を強くすることができる。
更に、必要に応じ、上記ロッドの外側面に衣服としてのズボンのウエスト部分が没入する凹部を形成した構成としている。ウエスト部分が凹部に嵌るので、ウエスト部分の保持が確実になる。
更にまた、必要に応じ、上記ロッドを外側に向けて傾斜させて上記本体に設けた構成とした。これにより、係止が確実に行なわれる。
【００１０】
また、必要に応じ、上記本体を棒体を備えて形成し、該棒体の一端に上記係止部を設け、上記クリップを上記棒体の他端から挿入可能で該棒体にスライド可能に設け、上記棒体の所定位置にクリップのスライドを停止させるストッパを設けた構成とした。クリップの位置決めが確実になる。
【００１１】
そして、必要に応じ、上記クリップとストッパとの間にコイルスプリングを介設した構成とした。より衣服の横方向の張力を与えることができ、衣服の弛みを防止できる。
更に、必要に応じ、上記係止部を上記クリップ側に向けて移動可能に上記本体に設け、該本体と係止部との間に該係止部のクリップ側の移動により縮小するスプリングを設けた構成としている。より衣服の横方向の張力を与えることができ、衣服の弛みを防止できる。
【００１２】
更にまた、必要に応じ、上記クリップを、互いに開閉可能で一端に衣服の把持部を有し他端に把手部を有した一端のクリップ片と、該一対のクリップ片を閉じるように付勢するスプリングとを備えて構成し、上記クリップ片に補強用のリブを形成した構成としている。クリップ片の強度をあげることができる。
また、必要に応じ、上記クリップ片の把持部の内側に段差部を形成した構成としている。衣服が段差部に引っかかるので滑落が防止される。
そして、必要に応じ、上記クリップ片の把持部をクリップ片本体に対して回動可能に設けた構成としている。把持部が衣服に密着するので滑落が防止される。
【００１３】
更に、必要に応じ、上記吊下部が吊下されるフックを有し該フックへの吊下により連結される上ハンガーを備え、該上ハンガーは、吊下部を有し上衣が掛けられる上衣掛け体を有し、該上衣掛け体の下側に上記フックを設けるとともに、上記上衣掛け体のフックの左右に縦棒を垂設し、該各縦棒にネクタイ等を掛けるための複数の横棒を突設した構成としている。
【００１４】
これにより、着替え順序を、以下のように行なうことができる。
１．背広などの上衣を脱ぎ、上ハンガーに掛ける。
２．ネクタイを取り、上ハンガーに掛ける。
３．ズボンなどの下衣を脱ぐ。
４．下衣をクリップつきの上記のハンガーへ掛ける。
５．このハンガーを上ハンガーのフックへ掛ける。
【００１５】
このため、下衣を掛けやすく簡単であり、上衣からハンガーへ掛けていくことができるので、時間の短縮を図ることができる。箪笥にしまっておくためのハンガーとしてだけでなく、毎日のように頻繁に着るであろうスーツなどのため、毎日使いやすいハンガーとして提供できる。
【００１６】
【発明の実施の形態】
以下、添付図面に基づいて、本発明の実施の形態に係るハンガーについて詳細に説明する。
図１乃至図９には、本発明の実施の形態に係るハンガーＨを示す。
まず、本発明の実施の形態に係るハンガーＨは、図１に示すように、下衣を掛ける下ハンガーＨａと、上衣を掛ける上ハンガーＨｂとで構成されている。
【００１７】
下ハンガーＨａは、図１乃至図３に示すようにフック状の吊下部１を有した所定長さの本体２と、本体２の一端側（実施の形態では一端）に形成され、ズボンやスカート等の下衣が係止される係止部３と、本体２の他端側に保持され下衣を挾持するクリップ４とが備えられている。
【００１８】
本体２は、上衣を掛けることのできるウイング状の上衣掛け体５と、上衣掛け体５の両端に架設される棒体６とを備えている。吊下部１は、上衣掛け体５の中央に設けられている。吊下部１は、金属で製造し、上衣掛け体５に対して回転可能に形成することもできる。７は上衣掛け体５と棒体６との間に架設される一対の補強部材である。上衣掛け体５及び棒体６の他端は、図３に示すように、Ｕ字形のパイプで形成された着脱可能な接続部材８で接続されている。
【００１９】
係止部３は、図１乃至図３及び図４（ａ）（ｂ）に示すように、本体２に垂設されるロッド９と、このロッド９の下端に形成され、下衣が係止される外向きの突起１０とを備えて構成されている。そして、ロッド９の内側面と本体２の棒体６との間に補強部材１１が架設されている。ロッド９の外側面には、下衣のウエスト部分が没入する凹部１２が形成されている。
【００２０】
クリップ４は、主に図５に示すように、互いに棒体６を軸として開閉可能で一端に衣服の把持部１３を有し、他端に把手部１４を有した一対のクリップ片１５と、一対のクリップ片１５を閉じるように付勢するスプリング１６とを備えて構成されている。クリップ片１５には、補強用のリブ１７が形成されている。このリブ１７は、把持部１３においては外側に設けられ、把手部１４においては内側に設けられている。更に、このクリップ片１５の把持部１３の内側には段差部１８が形成されている。
【００２１】
また、クリップ４は、軸としての棒体６の他端から挿入可能に棒体６にスライド可能に設けられている。即ち、クリップ４は本体２の接続部材８を外した状態で棒体６の他端から挿入される。
更に、棒体６の所定位置には、クリップ４のスライドを停止させるストッパ１９が設けられている。更にまた、クリップ４とストッパ１９との間には、コイルスプリング２０が介装されている。
【００２２】
次に、上ハンガーＨｂについて説明する。図１及び図６に示すように、上ハンガーＨｂは、フック状の吊下部２２を有し、上衣が掛けることができるウイング状の上衣掛け体２３を有している。吊下部２２は上衣掛け体２３の中央上側に設けられている。吊下部２２は、金属で製造し、上衣掛け体２３に対して回転可能に形成することもできる。
また、上ハンガーＨｂは、下ハンガーＨａの吊下部１が吊下されるフック２１を有している。上衣掛け体２３のフック２１の下側左右には、一対の縦棒２４が垂設されており、フック２１は、上衣掛け体２３の中央下側であって、縦棒２４に架設された板体２４ａに設けられている。
上衣掛け体２３のフック２１の左右に垂設された一対の各縦棒２４には、ネクタイ等を掛けるための複数の横棒２５が上衣掛け体２３の延びる方向に突設されている。横棒２５は、各縦棒２４に一対ずつ設けられている。
【００２３】
従って、この実施の形態に係るハンガーＨを使用するときは、以下のようにする。
まず、着用しているジャケット等の上衣を脱ぎ、上ハンガーＨｂの上衣掛け体２３に掛ける。次に、ネクタイあるいはスカーフ等を取り、図７に示すように、上ハンガーＨｂの横棒２５に掛ける。図７の場合はネクタイ３０を横棒２５に掛けた状態を示している。
【００２４】
次に、着用している下衣を脱ぐ。本発明のハンガーＨの下ハンガーＨａには、ズボンあるいはスカートどちらも掛けることができる。ここではズボンの場合で説明する。脱いだズボン３１を下ハンガーＨａへ掛ける。このときのズボン３１の下ハンガーＨａへの掛け方は、まず、ズボン３１のウエスト部分３２が上方に、裾３３を下方にくるようにする。ズボン３１のウエスト部分３２をファスナー３４が端にくるように畳んで持つ。ファスナー３４は開いたままでよい。下ハンガーＨａの突起１０にズボン３１のファスナー３４と反対側になる部分３５を引っ掛け、下ハンガーＨａのロッド９の凹部１２にウエスト部分３２を嵌める。このときズボン３１のウエスト部分３２にベルトが付いたままでも構わない。この場合、ウエスト部分３２が凹部１２に嵌るので、ウエスト部分３２の保持が確実になる。また、下衣を係止部３に係止するだけで下衣の一端を保持できるので、従来のクリップ４で挾持する場合に比較して、作業が単純であり、作業を容易に行なうことができる。
【００２５】
また、ロッド９には外向きの突起１０が備えられており、下衣を吊るすときに引っ掛けやすく、下衣の滑落が抑止される。そして、図８に示すように、片手で突起１０に引っ掛けたズボン３１を引っ張りながら、クリップ４側にズボン３１のファスナー３４側を持ってくる。一方、もう片方の手でクリップ４をストッパ１９に押圧しながらクリップ４を開き、ズボン３１のウエスト部分３２を挾持する。下ハンガーＨａにズボンを掛けている状態を図９に示す。
【００２６】
この場合、下衣の一端が係止部３に係止されているので、引っ張る力を多少強くしても、外れることがなく、そのため、引っ張り加減を逐一気にすることなく下衣を容易に緊張状態にさせながらクリップ４を操作するだけで、下衣を吊下できることから、操作性が大幅に向上させられる。そのため、下衣が皺にならないようにすることができる。
【００２７】
下衣を吊下した状態では、クリップ４とストッパ１９との間にコイルスプリング２０が介設されているので、衣服に横方向の張力を与えることができ、衣服の弛みが防止される。
また、クリップ４に段差部１８が設けられているので、下衣が滑落しにくく、保持が確実になっている。
【００２８】
次に、ジャケット等の下に着用していたワイシャツやブラウス等を脱ぐ。ワイシャツやブラウス等は下ハンガーＨａの本体２に掛ける。
上衣を掛けている上ハンガーＨｂのフック２１に、下衣を掛けている下ハンガーＨａの吊下部１を掛ける。
このようにして組み合わせたハンガーＨを箪笥等に収納する。
【００２９】
このように実施の形態に係るハンガーＨは、従来のハンガーＨ１に比較して吊るす作業が簡素化される。従来のハンガーＨ１へ掛けるよりも容易に掛けられる。また、２つ折りにして掛けることができないスカート等も掛けられる。このとき、下衣のウエスト部分３２で吊るすので衣服が皺にならない。
そして、下衣をこのハンガーＨに掛けるときはウエスト部分３２を上方にして掛けるので、ポケットに物を入れたまま掛けられ、衣服を収納するたびにポケットに入れているものを外に出す必要がない。
【００３０】
図１０には、本発明の実施の形態に係る係止部３の変形例を示している。これは、下ハンガーＨａにおいて、ロッド９を外向きに角度をつけて設けている。このため、係止が確実に行なわれる。
【００３１】
また、図１１には、本発明の実施の形態に係るクリップ４の変形例を示している。このクリップ４は、把持部１３を別体に設け、この把持部１３をクリップ４に移動可能に設けている。把持部１３を下衣により密着させることができ、把持を確実にすることができる。
【００３２】
図１２には、実施の形態に係る下ハンガーＨａの別の例を示す。これは、本体２を棒体６のみで形成し、この棒体６に、吊下部１とストッパ１９を設けたものである。作用効果は上記と同様である。
【００３３】
また、図１３乃至図１５には、実施の形態に係る下ハンガーＨａのまた別の例を示す。これは、上衣掛け体５の他端に棒体６を着脱可能に支持するフック状の掛け部材４０を設け、下ハンガーＨａの組み立てを容易にしたものである。
また、図１４の下ハンガーＨａでは、上衣掛け体５を棒体６で形成し、図１４の下ハンガーＨａでは、上衣掛け体５を断面略Ｕ字状のチャンネル部材で形成し、図１５の下ハンガーＨａでは、上衣掛け体５を金属製や樹脂製の鎖で形成し、よりコンパクトに収納できるようにしている。
【００３４】
更に、図１６には、実施の形態に係る下ハンガーＨａの他の例を示す。これは、本体２を棒体６のみで形成し、この棒体６に、吊下部１とストッパ１９を設けたものである。クリップ４は棒体６に固定している。また、係止部３をクリップ４側に向けて移動可能に本体２に設け、本体２と係止部３との間に係止部３のクリップ４側の移動により縮小するコイルスプリング４１を設けている。これによっても、下衣を吊下した状態では、本体２と係止部３との間にコイルスプリング４１が介設されているので、衣服に横方向の張力を与えることができ、衣服の弛みが防止される。
【００３５】
尚、上記実施の形態において、本体２，クリップ４などの材質は、木材，合成樹脂，金属などどのようなもので形成してよいことは勿論である。また、下ハンガーＨａ及び上ハンガーＨｂは単独で用いてよいことは勿論である。特に本発明のハンガーは、下ハンガーＨａ単独で構成されても良い。しかしながら、上ハンガーＨｂとセットであればより便利である。
【００３６】
【発明の効果】
以上説明したように、本発明のハンガーによれば、吊下部を有した所定長さの本体の一端に形成され衣服が係止される係止部と、本体の他端側に保持され衣服を挾持するクリップとを備えたので、衣服を係止部に係止するだけで衣服の一端を保持できることから、従来のクリップで一端を挾持する場合に比較して、作業が単純であり、作業を容易に行なうことができる。また、衣服の一端が係止部に係止されているので、引っ張る力を多少強くしても、外れることがなく、そのため、引っ張り加減を逐一気にすることなく衣服を容易に緊張状態にさせながらクリップを操作するだけで、衣服を吊下できることから、操作性を大幅に向上させることができる。
【００３７】
更に、吊下部が吊下されるフックを有しフックへの吊下により連結される上ハンガーを備えた構成とした場合には、上衣からハンガーへ掛けていくことができるので、時間の短縮を図ることができる。箪笥にしまっておくためのハンガーとしてだけでなく、毎日のように頻繁に着るであろうスーツなどのため、毎日使いやすいハンガーとして提供できる。
【図面の簡単な説明】
【図１】本発明の実施の形態に係るハンガーを示す正面図である。
【図２】本発明の実施の形態に係るハンガーの下ハンガーを示す斜視図である。
【図３】本発明の実施の形態に係るハンガーの下ハンガーにおいて接続部材の取り付け状態を示す分解図である。
【図４】本発明の実施の形態に係るハンガーの係止部を示し、（ａ）は正面図，（ｂ）は側面図である。
【図５】本発明の実施の形態に係るハンガーのクリップを示す側面図である。
【図６】本発明の実施の形態に係るハンガーの上ハンガーを示す斜視図である。
【図７】本発明の実施の形態に係るハンガーの上ハンガーにおいて横棒にネクタイを掛けた状態を示す要部図である。
【図８】本発明の実施の形態に係るハンガーの下ハンガーに下衣（ズボン）を掛ける際の状態を示す正面図である。
【図９】本発明の実施の形態に係るハンガーの下ハンガーに下衣（ズボン）を掛けた状態を示す正面図である。
【図１０】本発明の実施の形態に係るハンガーの下ハンガーにおいて係止部の変形例を示す正面図である。
【図１１】本発明の実施の形態に係るハンガーの下ハンガーにおいてクリップの変形例を示す正面図である。
【図１２】本発明の実施の形態に係るハンガーにおいて下ハンガーの別の例を示す正面図である。
【図１３】本発明の実施の形態に係るハンガーにおいて下ハンガーのまた別の例を示す正面図である。
【図１４】本発明の実施の形態に係るハンガーにおいて下ハンガーのまた別の例を示す正面図である。
【図１５】本発明の実施の形態に係るハンガーにおいて下ハンガーのまた別の例を示す正面図である。
【図１６】本発明の実施の形態に係るハンガーにおいて下ハンガーの他の例を示す正面図である。
【図１７】従来のハンガーの一例を示す正面図である。
【符号の説明】
Ｈ  ハンガー
Ｈａ  下ハンガー
Ｈｂ  上ハンガー
１  吊下部
２  本体
３  係止部
４  クリップ
５  上衣掛け体
６  棒体
７  補強部材
８  接続部材
９  ロッド
１０  突起
１１  補強部材
１２  凹部
１３  把持部
１４  把手部
１５  クリップ片
１６  スプリング
１７  リブ
１８  段差部
１９  ストッパ
２０  コイルスプリング
２１  フック
２２  吊下部
２３  上衣掛け体
２４  縦棒
２５  横棒
３０  ネクタイ
３１  ズボン
３２  ウエスト部分
３３  裾
３４  ファスナー
３５  反対側になる部分
４０  掛け部材
４１  コイルスプリング
【図１】
2004248953.tif 000003
【図２】
2004248953.tif 000004
【図３】
2004248953.tif 000005
【図４】
2004248953.tif 000006
【図５】
2004248953.tif 000007
【図６】
2004248953.tif 000008
【図７】
2004248953.tif 000009
【図８】
2004248953.tif 000010
【図９】
2004248953.tif 000011
【図１０】
2004248953.tif 000012
【図１１】
2004248953.tif 000013
【図１２】
2004248953.tif 000014
【図１３】
2004248953.tif 000015
【図１４】
2004248953.tif 000016
【図１５】
2004248953.tif 000017
【図１６】
2004248953.tif 000018
【図１７】
2004248953.tif 000019